(57)【要約】【課題】伝送波形の歪みを改善するためのフィルタ材を一体的に備えた分岐コネクタおよび分岐コネクタに接続するコネクタを提供する。【解決手段】通信回路を構成する幹線から支線が分岐接続する位置に設ける分岐コネクタあるいは分岐コネクタに接続するコネクタであって、コネクタハウジングがフェライトを含有する樹脂により成形されている、あるいは、樹脂成形品からなるコネクタハウジングの壁面にフェライト被覆層が設けられている。【選択図】図２
2008153066.tif 000002
【特許請求の範囲】
【請求項１】
通信回路を構成する幹線から支線が分岐接続する位置に設けられる分岐コネクタであって、
長尺なジョイント部と、該ジョイント部の長さ方向に間隔をあけて突出させた複数の電線接続用端子部を有するバスバーと、
前記バスバーを収容するコネクタハウジングを備え、
前記コネクタハウジングはフェライトを含有する樹脂により成形され、あるいは樹脂成形品からなる前記コネクタハウジングの壁面にフェライト被覆層が設けられていることを特徴とする分岐コネクタ。
【請求項２】
前記フェライト被覆層は、前記コネクタハウジングの外周面あるいは／および前記支線と接続するコネクタを嵌合するコネクタ嵌合部の内周面からなる前記コネクタハウジングの壁面に設けられ、かつ、該フェライト被覆層は前記バスバーの電線接続用端子部の軸線まわりの外周全周を囲むように設けられている請求項１に記載の分岐コネクタ。
【請求項３】
通信回路を構成する幹線から支線が分岐接続する位置に設けられる分岐コネクタに対して、嵌合接続される前記幹線および支線に夫々接続されたコネクタであって、
一端が前記幹線もしくは支線の端末に接続される一方、他端が前記分岐コネクタとの接続時に分岐コネクタ内のバスバーに設けた電線接続用端子部に接続される端子材と、
前記端子材を収容するコネクタハウジングを備え、
前記コネクタハウジングがフェライトを含有する樹脂により成形され、あるいは樹脂成形品からなるコネクタハウジングの壁面にフェライト被覆層が設けられていることを特徴とするコネクタ。
【請求項４】
前記フェライト被覆層は、前記コネクタハウジングの外周面あるいは／および前記端子材を収容する端子収容室の内周面からなる前記コネクタハウジングの壁面に設けられ、かつ、該フェライト被覆層は前記端子材の軸線まわりの外周全周を囲むように設けられている請求項３に記載のコネクタ。
【発明の詳細な説明】
【技術分野】
【０００１】
本発明は、分岐コネクタおよび分岐コネクタに接続されるコネクタに関し、詳しくは、車載ＬＡＮ等の通信ネットワークの幹線から支線を分岐する分岐接続部に生じる伝送波形歪みを緩和する機能を備えたものである。
【背景技術】
【０００２】
車載ネットワーク等の通信ネットワークにおいて、１つの通信機器から別の通信機器へ信号を伝送する際に、電気的または磁気的ノイズによって伝送波形に歪みが発生して通信が正常に行われないという問題がある。この波形歪みは主としてインピーダンスの不整合に起因する信号の反射によっても発生し、通信線の分岐点や通信機器内に収容した基板との接続点においてはインピーダンス不整合が発生することは避けられなかった。そのため、従来より分岐点や通信機器との接続点での波形歪みを改善するための種々の技術が提案されている。
【０００３】
例えば、特開平６−７６８８６号公報（特許文献１）では、図８に示すように、コネクタハウジング１内に収容した端子２を円筒状のフェライトコア３に通すことにより伝送波形の歪みを改善している。
しかしながら、特許文献１で提供されている構造では、各端子２を円筒状のフェライトコア３に通さなければならず、かつ、これらフェライトコア３を保持するための構造が必要となり、部品点数およびコネクタの製造工程が増加すると共に、コネクタハウジング１の構造が複雑になる問題がある。
【０００４】
【特許文献１】特開平６−７６８８６号公報
【発明の開示】
【発明が解決しようとする課題】
【０００５】
本発明は前記問題に鑑みてなされたものであり、伝送波形の歪みを改善するためのフェライトからなるフィルタ材を一体的に備えた分岐コネクタおよび分岐コネクタに接続するコネクタを提供することを課題としている。
【課題を解決するための手段】
【０００６】
前記課題を解決するため、本発明は、第１の発明として、通信回路を構成する幹線から支線が分岐接続する位置に設けられる分岐コネクタであって、
長尺なジョイント部と、該ジョイント部の長さ方向に間隔をあけて突出させた複数の電線接続用端子部を有するバスバーと、
前記バスバーを収容するコネクタハウジングを備え、
前記コネクタハウジングはフェライトを含有する樹脂により成形され、あるいは樹脂成形品からなる前記コネクタハウジングの壁面にフェライト被覆層が設けられていることを特徴とする分岐コネクタを提供している。
【０００７】
前記フェライト被覆層は、前記コネクタハウジングの外周面あるいは／および前記支線と接続するコネクタを嵌合するコネクタ嵌合部の内周面からなる前記コネクタハウジングの壁面に設けられ、かつ、該フェライト被覆層は前記バスバーの電線接続用端子部の軸線まわりの外周全周を囲むように設けられていることが好ましい。
【０００８】
また、本発明は、第２の発明として、通信回路を構成する幹線から支線が分岐接続する位置に設けられる分岐コネクタに対して、嵌合接続される前記幹線および支線に夫々接続されたコネクタであって、
一端が前記幹線もしくは支線の端末に接続される一方、他端が前記分岐コネクタとの接続時に分岐コネクタ内のバスバーに設けた電線接続用端子部に接続される端子材と、
前記端子材を収容するコネクタハウジングを備え、
前記コネクタハウジングがフェライトを含有する樹脂により成形され、あるいは樹脂成形品からなるコネクタハウジングの壁面にフェライト被覆層が設けられていることを特徴とするコネクタを提供している。
【０００９】
前記フェライト被覆層は、前記コネクタハウジングの外周面あるいは／および前記端子材を収容する端子収容室の内周面からなる前記コネクタハウジングの壁面に設けられ、かつ、該フェライト被覆層は前記端子材の軸線まわりの外周全周を囲むように設けられていることが好ましい。
【００１０】
前記構成の第１の発明の分岐コネクタあるいは／および第２の発明のコネクタによれば、コネクタハウジングを磁性体であるフェライトを含有する樹脂で成形している、あるいは、コネクタハウジングの壁面にフェライト被覆層を設けているため、コネクタハウジングに一体的に設けたフェライトが分岐接続部近傍に発生する磁界を吸収して熱に変え、分岐接続部のインピーダンス不整合から増大した高周波成分を低減することができ、分岐接続部で生じる伝送波形の歪みを改善することができる。
また、コネクタハウジングにフェライトを一体的に設けているため、分岐接続部近傍において幹線もしくは支線に接続された端子材やバスバーの電線接続用端子部を別体のフェライトに通す必要がない。これにより、コネクタハウジングと別体のフェライトや該フェライトを保持するための構造が不要となり、部品点数およびコネクタの製造工程を低減できると共に、コネクタハウジングの構造を簡単にすることができる。
【００１１】
さらに、第１の発明において、フェライト被覆層で前記バスバーの電線接続用端子部の軸線まわりの外周全周を囲む、あるいは、第２の発明において、フェライト被覆層で前記端子材の軸線まわりの外周全周を囲むと、バスバーの電線接続用端子部もしくは端子材を環状のフェライト被覆層に貫通させた状態となり、分岐接続部で生じる伝送波形の歪みをより改善しやすくなる。
特に、第２の発明において、前記端子材を収容する端子収容室の内周面にそれぞれフェライト被覆層を設けると、１つのフェライト被覆層に複数の端子材を貫通させるのではなく、各端子材を異なるフェライト被覆層にそれぞれ貫通させることができるため、フィルタ性能を均一に保持することができる。
【００１２】
なお、分岐コネクタと該分岐コネクタに接続するコネクタのいずれか一方のコネクタハウジングにフェライトを一体的に設けてもよいし、分岐コネクタと該分岐コネクタに接続するコネクタの両方のコネクタハウジングにフェライトを一体的に設けてもよい。
【発明の効果】
【００１３】
前述したように、本発明によれば、コネクタハウジングに伝送波形の歪みを改善するためのフェライトを一体的に設けているため、分岐接続部近傍の幹線もしくは支線に接続された端子材やバスバーの電線接続用端子部を別体のフェライトに通すことなく伝送波形の歪みを改善することができる。これにより、コネクタハウジングと別体のフェライトや該フェライトを保持するための構造が不要となり、部品点数およびコネクタの製造工程を低減できると共に、コネクタハウジングの構造を簡単にすることができる。
【発明を実施するための最良の形態】
【００１４】
本発明の実施形態を図面を参照して説明する。
図１乃至図３は、本発明の第１実施形態を示し、分岐コネクタ１０は、ＣＡＮ通信（差動伝送方式）を行う車載ＬＡＮにおいて、幹線から支線が分岐する分岐部を形成するものであり、図１に示すように、差動伝送線路を構成するツイストペア電線４０の端末に接続されたコネクタ３０（３０Ａ、３０Ｂ）と嵌合接続するものである。
【００１５】
分岐コネクタ１０のコネクタハウジング１１は、磁性体である粒状のフェライト１３を含有した樹脂成形品である。コネクタハウジング１１に使用する樹脂としては、ＰＢＴ（ポリブチレンテレフタレート）、ＳＰＳ（シンジオタクチックポリスチレン）、ＬＣＰ（液晶ポリエステル）が一般的であるが、ナイロン等でもよい。該コネクタハウジング１１は、図２に示すように、一側部に左右方向Ｘに延在するバスバー収容部１１ａを上下方向Ｙに２段で並設する一方、他側部に４つのコネクタ嵌合部１１ｂを左右方向Ｘに並設している。これらバスバー収容部１１ａとコネクタ嵌合部１１ｂは、コネクタ嵌合部１１ｂの底壁１１ｃで仕切っており、該底壁１１ｃに左右方向Ｘに間隔をあけてバスバー収容部１１ａとコネクタ嵌合部１１ｂに連通する端子孔１１ｄを穿設している。コネクタ嵌合部１１ｂの内面の所要箇所には、後述するコネクタ３０を係止するための係止溝１１ｅを設けている。
【００１６】
前記コネクタハウジング１１のバスバー収容部１１ａに収容するバスバー２０は、長尺なジョイント部２０ａと、該ジョイント部２０ａの長さ方向に間隔をあけて突出させた複数の電線接続用端子部２０ｂからなる。
バスバー２０のジョイント部２０ａをコネクタハウジング１１のバスバー収容部１１ａに収容する一方、電線接続用端子部２０ｂはコネクタハウジング１１の端子孔１１ｄを貫通させて、先端部をコネクタ嵌合部１１ｂ内に突出させている。このように、コネクタハウジング１１内にバスバー２０を収容した状態で、バスバー収容部１１ａを設けたコネクタハウジング１１の一側にカバー１２をロック結合して、バスバー収容部１１ａの開口端を閉鎖している。
【００１７】
前記コネクタハウジング１１のコネクタ嵌合部１１ｂに嵌合するコネクタ３０のコネクタハウジング３１も、磁性体である粒状のフェライト１３を含有した樹脂成形品である。コネクタハウジング３１に使用する樹脂も、ＰＢＴ（ポリブチレンテレフタレート）、ＳＰＳ（シンジオタクチックポリスチレン）、ＬＣＰ（液晶ポリエステル）が一般的であるが、ナイロン等でもよい。該コネクタハウジング３１は、図３に示すように、上下方向Ｙに２つの端子収容室３１ａを並設し、外面の所要箇所に分岐コネクタ１０のコネクタ嵌合部１１ｂ内に係止するための係止爪３１ｂを突設している。該コネクタ３０は差動伝送線路を構成するツイストペア電線４０の端末に接続され、上方の端子収容室３１ａ−１には、ツイストペア電線４０の第１通信線４１Ａ（ＣＡＮ＿Ｈ）の端末に接続した端子材４２Ａが挿入係止されている一方、下方の端子収容室３１ａ−２には、ツイストペア電線４０の第２通信線４１Ｂ（ＣＡＮ＿Ｌ）の端末に接続した端子材４２Ｂが挿入係止されている。
【００１８】
本実施形態では、通信回路の幹線を構成する２組のツイストペア電線４０Ａと支線を構成する２組のツイストペア電線４０Ｂの端末に接続されたコネクタ３０Ａ、３０Ｂを分岐コネクタ１０のコネクタ嵌合部１１ｂに夫々嵌合している。このとき、コネクタ３０の端子材４２Ａ、４２Ｂが分岐コネクタ１０内のバスバー２０の電線接続用端子部２０ｂとそれぞれ雌雄嵌合接続され、ツイストペア電線４０の第１通信線４１Ａ同士、第２通信線４１Ｂ同士がそれぞれバスバー２０を介して接続される。
【００１９】
前記構成によれば、分岐コネクタ１０と該分岐コネクタ１０に接続されるコネクタ３０のコネクタハウジング１１、３１を磁性体であるフェライト１３を含有する樹脂で成形しているため、コネクタハウジング１１、３１に一体的に設けたフェライト１３が分岐接続部近傍に発生する磁界を吸収して熱に変え、分岐接続部のインピーダンス不整合から増大した高周波成分を低減することができ、分岐接続部で生じる伝送波形の歪みを改善することができる。
このように、コネクタハウジング１１、３１にフェライトを含有させているため、分岐接続部近傍の幹線もしくは支線に接続された端子材４２やバスバー２０の電線接続用端子部２０ｂを別体のフェライトに通す必要がない。これにより、コネクタハウジング１１、３１と別体のフェライトや、コネクタハウジング１１、３１にフェライトを保持するための構造が不要となり、部品点数およびコネクタの製造工程を低減できると共に、コネクタハウジング１１、３１の構造を簡単にすることができる。
【００２０】
なお、本実施形態では、分岐コネクタ１０と該分岐コネクタに接続されるコネクタ３０の両方のコネクタハウジング１１、３１にフェライトを含有させているが、いずれか一方のコネクタハウジングにのみフェライトを含有させてもよい。
また、支線に接続したコネクタ３０Ｂのコネクタハウジングにのみフェライトを含有させ、幹線に接続したコネクタ３０Ａのコネクタハウジングにはフェライトを含有させなくてもよい。
さらに、分岐コネクタ１０に差動伝送線路を構成するツイストペア電線４０を接続しているため、コネクタハウジング１１内にバスバー２０を２段で配置しているが、ペア電線以外の電線を接続する場合には、コネクタハウジング１１に１段あるいは３段以上でバスバーを配置してもよい。
【００２１】
図４及び図５に、本発明の第２実施形態を示す。
本実施形態では、分岐コネクタ１０と該分岐コネクタ１０に接続するコネクタ３０のコネクタハウジング１１、３１を成形する樹脂にフェライトを含有させておらず、分岐コネクタ１０のコネクタハウジング１１ではコネクタ嵌合部１１ｂの内周面、コネクタ３０のコネクタハウジング３１では外周面にそれぞれフェライト被覆層１４、３２を設けている。該フェライト被覆層１４は、ペースト状のフェライトを噴き付けにより塗布して形成している。
前記コネクタハウジング１１では、フェライト被覆層１４によりバスバー２０の電線接続用端子部２０ａの軸線まわりの外周全周を囲んでおり、コネクタハウジング３１では、フェライト被覆層３２により端子材４２の軸線まわりの外周全周を囲んでいる。
【００２２】
前記構成によれば、コネクタハウジング１１、３１のフェライト被覆層１４、３２によりバスバー２０の電線接続用端子部２０ａと端子材４２の外周を囲んでいるため、分岐接続部で生じる伝送波形の歪みを改善することができる。
このように、コネクタハウジング１１、３１にフェライト被覆層１４、３２を一体的に設けているため、別体のフェライトや、コネクタハウジング１１、３１にフェライトを保持するための構造が不要となり、部品点数およびコネクタの製造工程を低減できると共に、コネクタハウジング１１、３１の構造を簡単にすることができる。
なお、支線に接続したコネクタ３０Ｂのコネクタハウジングにのみフェライト被覆層を設け、幹線に接続したコネクタ３０Ａのコネクタハウジングにはフェライト被覆層を設けなくてもよい。
【００２３】
図６及び図７は、第２実施形態の変形例を示す。
分岐コネクタ１０のコネクタハウジング１１に設けるフェライト被覆層１４は、図６（Ａ）に示すように、コネクタハウジング１１の外周面に設けてもよいし、図６（Ｂ）に示すように、コネクタハウジング１１の外周面とコネクタ嵌合部１１ｂの内周面の両方に設けてもよい。
【００２４】
一方、コネクタ３０のコネクタハウジング３１に設けるフェライト被覆層３２は、図７（Ａ）に示すように、端子収容室３１ａの内周面に設けてもよいし、図７（Ｂ）に示すように、コネクタハウジング３１の外周面と端子収容室３１ａの内周面の両方に設けてもよい。
これら分岐コネクタ１０とコネクタ３０のいずれを組み合わせて用いてもよく、また、分岐コネクタ１０とコネクタ３０のいずれか一方にのみフェライト被覆層を設ける構成としてもよい。
さらに、第１実施形態のフェライトを含有する樹脂で成形したコネクタハウジング１１、３１にフェライト被覆層１４、３２を設けてもよい。
なお、他の構成及び作用効果は第１実施形態と同様のため、同一の符号を付して説明を省略する。
【産業上の利用可能性】
【００２５】
本発明の分岐コネクタは、車載ＬＡＮ・ＯＡ(Office Automation)・ＦＡ(Factory Automation)等の通信回路に好適に用いられるものである。
【図面の簡単な説明】
【００２６】
【図１】本発明の第１実施形態の分岐コネクタと、該分岐コネクタに接続するコネクタを示す図面である。
【図２】分岐コネクタの断面図である。
【図３】分岐コネクタにコネクタを接続した状態を示す断面図である。
【図４】第２実施形態の分岐コネクタと、該分岐コネクタに接続するコネクタを示す図面である。
【図５】分岐コネクタにコネクタを接続した状態を示す断面図である。
【図６】（Ａ）（Ｂ）は、第２実施形態の変形例の分岐コネクタの断面図ある。
【図７】（Ａ）（Ｂ）は、第２実施形態の変形例のコネクタの断面図ある。
【図８】従来例を示す図面である。
【符号の説明】
【００２７】
１０  分岐コネクタ
１１  コネクタハウジング
１１ａ  バスバー収容部
１１ｂ  コネクタ嵌合部
１３  フェライト
１４  フェライト被覆層
２０  バスバー
２０ａ  ジョイント部
２０ｂ  電線接続用端子部
３０  コネクタ
３２  フェライト被覆層
【図１】
2008153066.tif 000003
【図２】
2008153066.tif 000004
【図３】
2008153066.tif 000005
【図４】
2008153066.tif 000006
【図５】
2008153066.tif 000007
【図６】
2008153066.tif 000008
【図７】
2008153066.tif 000009
【図８】
2008153066.tif 000010